(57)【要約】本発明は、電磁的なディスクブレーキ（１０）に関する。本発明は、ディスクブレーキ（１０）を、電磁的な操作装置（１６）によりブレーキディスク（１４）に圧着可能な、２つの、ブレーキディスク（１４）の片側に配置された摩擦ブレーキライニング（４０，４２）をもって構成することを、提案する。更に本発明は、両方の摩擦ブレーキライニング（４０，４２）を、ブレーキディスク（１４）に対して逆方向に斜めに延びている支持部（４６，４８）を介して、くさびエレメント（５２）に支え、このくさびエレメントが対応受け（５６）によってブレーキディスク（１４）に対して平行にしゅう動可能にブレーキサドル（１２）内で案内されているようにすることを提案する。斜めに延びている支持部（４６，４８）を介して、くさびエレメント（５２）は、摩擦ブレーキライニング（４０，４２）をブレーキディスク（１４）に圧着する際に、圧着力を、操作装置（１６）により及ぼされる圧着力に対して付加的に、摩擦ブレーキライニング（４０，４２）に作用させる。ブレーキ補助が生じる。
2004505223.tif 000002
【特許請求の範囲】
【請求項１】
ブレーキディスクと、摩擦ブレーキライニングと、操作装置とを備え、この操作装置により摩擦ブレーキライニングがブレーキディスクに圧着可能である形式のディスクブレーキにおいて、ディスクブレーキ（１０）が、摩擦ブレーキライニング（４０，４２）のために、ブレーキディスク（１４）に対して斜めに延びる支持部（４６，４８）を有していることを特徴とする、ディスクブレーキ。
【請求項２】
ディスクブレーキ（１０）が２つの摩擦ブレーキライニング（４０，４２）を有しており、これら両方の摩擦ブレーキライニングはブレーキディスク（１４）の一方の側に配置されており、かつ、ディスクブレーキ（１０）が、両方の摩擦ブレーキライニング（４０，４２）のそれぞれのために、ブレーキディスク（１４）に対して斜めに延びる支持部（４６，４８）を有しており、その際、両方の支持部（４６，４８）が、ブレーキディスク（１４）に対して、互いに逆の方向で斜めに延びていることを特徴とする、請求項１記載のディスクブレーキ。
【請求項３】
両方の支持部（４６，４８）が互いに結合されており、かつ、両方の支持部（４６，４８）が案内（５６）を有していて、この案内により、両方の支持部がブレーキディスク（１４）に対して平行にしゅう動可能に案内されていることを特徴とする、請求項２記載のディスクブレーキ。
【請求項４】
操作装置（１６）が、電気モータ（１８）と、摩擦ブレーキライニング（４０，４２）をブレーキディスク（１４）に圧着するための回転並進式転換伝動装置（２０）とを有していることを特徴とする、請求項１記載のディスクブレーキ。
【請求項５】
操作装置（１６）が、電気モータ（１８）と、自己制動性の伝動装置（２０）とを有していることを特徴とする、請求項１記載のディスクブレーキ。
【請求項６】
ディスクブレーキ（１０）がブリッジ（３２）を有しており、このブリッジを介して操作装置（１６）により、両方の摩擦ブレーキライニング（４０，４２）が一緒にブレーキディスク（１４）に圧着可能であることを特徴とする、請求溝２記載のディスクブレーキ。
【請求項７】
ブリッジ（３２）が旋回可能に操作装置（１６）と結合されていることを特徴とする、請求項６記載のディスクブレーキ。
【発明の詳細な説明】
【０００１】
背景技術
本発明は、請求項１の上位概念の特徴を備えたディスクブレーキに関する。
【０００２】
ディスクブレーキは自体公知である。ディスクブレーキはブレーキディスク並びに普通は２つの、ブレーキディスクの両側に配置された摩擦ブレーキライニングを有している。摩擦ブレーキライニングはブレーキサドル内に受容されている。大抵の、今日使用されているディスクブレーキは液力式に操作され、換言すれば摩擦ブレーキライニングはブレーキモーメントを生ぜしめるために、液力でブレーキディスクに圧着される。この場合、各摩擦ブレーキライニングをそれに所属の液力ピストンによりブレーキディスクに圧着することが可能である。同様に、両方の摩擦ブレーキライニングの一方を液力でブレーキディスクに圧着し、かつ、他方の摩擦ブレーキライニングを、ブレーキサドルを介して伝達される反動力によってブレーキディスクの他方の面に圧着することが可能である。ブレーキサドルはこの場合、ブレーキディスクに対して横方向にしゅう動可能な浮遊サドルとして構成されている。
【０００３】
ディスクブレーキを電磁的に操作することも、提案されている。一方の摩擦ブレーキライニングをブレーキディスクに圧着するための操作力は、この場合、電気モータによりスピンドル伝動装置を介して摩擦ブレーキライニングに及ぼされる。電磁的なディスクブレーキはしかしながら、充分に大きなブレーキ作用力（これは摩擦ブレーキライニングがブレーキディスクに圧着される力である）を生ぜしめるために、かつ、迅速なブレーキ作用及び解離のために、要するに充分に高い原動力を達成するために、大きなかつしたがって重い電気モータを必要とするという欠点を有している。このことは望ましくない。それはディスクブレーキは、普通配置されている自動車車輪のリムの内室内に、単に劣悪にしか収容できないからである。更にディスクブレーキは普通は車輪支持体に取り付けられていて、かつ、ばねで支持されていない質量を形成している。ばねで支持されていない質量の大きな重量は、自動車の道路状態に不利に作用し、かつ、したがって望ましくない。公知の電磁式のディスクブレーキの別の欠点は、その大きな電流消費量であり、これは自動車の積載回路網を著しく負荷する。
【０００４】
アメリカ合衆国特許第５２１９０４８号明細書から、電磁的に操作されるディスクブレーキが公知であり、これは２対の摩擦ブレーキライニングを有しており、これらの摩擦ブレーキライニングは２つのブレーキサドル内に配置されている。ブレーキサドルはブレーキディスクの円周方向で互いにずらされて配置されている。一方の摩擦ブレーキ対は自体公知の形式で電気モータによって歯車伝動装置及びスピンドル伝動装置を介してブレーキディスクに圧着される。この摩擦ブレーキライニング対のブレーキサドルはブレーキディスクの回転軸線に対して平行な軸線を中心にして旋回可能に支承されており、換言すればブレーキサドルはほぼブレーキディスクの円周方向で可動である。第２の摩擦ブレーキライニング対をブレーキディスクに圧着するために、公知のディスクブレーキは斜路機構を有している。斜路機構はブレーキディスクの各側に１つの斜路プレートを有しており、この斜路プレートは第１の摩擦ブレーキライニング対の摩擦ブレーキライニングと結合されている。斜路プレートは斜路面を有しており、これらの斜路面は、摩擦を減少させる玉を介して、ブレーキディスクの円周方向で斜路プレートがしゅう動する場合に、第２の摩擦ブレーキライニング対の摩擦ブレーキライニングをブレーキディスクに圧着する。斜路面は両方の方向で上昇しており、これにより第２の摩擦ブレーキライニング対のブレーキディスクへの圧着はブレーキディスクの回転方向に無関係である。斜路プレートのしゅう動は、第１の摩擦ブレーキライニング対の圧着の際に、電気モータによってブレーキディスクに対して行われ、その際、既に述べた形式で、第１の、ブレーキディスクの回転軸線に対して旋回可能なブレーキサドルがブレーキディスクの円周方向に動く。第１の摩擦ブレーキライニング対の摩擦ブレーキライニングと結合されている斜路プレートはブレーキサドルと一緒に動き、かつ、それらの斜路面を介して、第２の摩擦ブレーキライニング対の摩擦ブレーキライニングをブレーキディスクに圧着する。公知のディスクブレーキにおいては、ブレーキ補助は次の形式で行われる。すなわち、第２の摩擦ブレーキライニング対をブレーキディスクに圧着するために固有の圧着力を作用させる必要はなく、第２の摩擦ブレーキライニング対の圧着に必要な力及びエネルギは第１の摩擦ブレーキライニング対から導出される。電気モータにより、専ら第１の摩擦ブレーキライニング対がブレーキディスクに圧着される。
【０００５】
この公知のディスクブレーキは、それが２つのブレーキサドルを必要とし、かつ、したがって構造が大きく、かつ、重いという欠点を有している。公知のディスクブレーキの別の欠点は、その高価な構造である。
【０００６】
発明の利点
請求項１の特徴構成要件を備えた、本発明によるディスクブレーキは、摩擦ブレーキライニングのために、ブレーキディスクに対して斜めに延びる支持部を有している。摩擦ブレーキライニングが操作装置により、回転しているブレーキディスクに圧着されると、ブレーキディスクと摩擦ブレーキライニングとの間の摩擦が、ブレーキディスクに対して平行な力を円周方向でかつ回転方向で摩擦ブレーキライニングに作用させる。ブレーキディスクに対して平行なこの力は摩擦ブレーキライニングを斜めの支持部に圧着する。その結果、斜めの支持部は反動力を摩擦ブレーキライニングに及ぼし、この反動力は摩擦ブレーキライニングをブレーキディスクに圧着する。換言すれば、回転しているブレーキディスクにより、ブレーキをかける際に、摩擦ブレーキライニングに及ぼされる摩擦力は一種のくさび作用を生ぜしめ、このくさび作用は摩擦ブレーキライニングをブレーキディスクの回転方向で狭くなるギャップ内に、あるいはブレーキディスクと斜めに延びる支持部との間の中間スペース内に、圧着する。くさび作用に基づいて、摩擦ブレーキライニングはブレーキディスクに圧着される。
【０００７】
本発明によるディスクブレーキの、ブレーキをかける際に支持部から摩擦ブレーキライニングに及ぼされ、摩擦ブレーキライニングをブレーキディスクに圧着する力は、ブレーキ補助を生ぜしめて、摩擦ブレーキライニングが、ブレーキをかける際に、全体としてブレーキディスクに圧着されるところの全圧着力は、本発明によるディスクブレーキの操作装置により直接に摩擦ブレーキライニングに及ぼされる圧着力よりも、大きい。本発明によるディスクブレーキの操作装置は、摩擦ブレーキライニングがブレーキディスクに圧着される全圧着力の一部を作用させるに過ぎない。全圧着力の残りの部分はブレーキディスクに対して斜めに延びる支持部により摩擦ブレーキライニングに及ぼされ、このために力あるいはエネルギを操作装置により作用させることはない。
【０００８】
摩擦ブレーキライニングのための支持部がブレーキディスクに対して斜めに延びる角度の選択によって、全圧着力の、操作装置によって及ぼされる部分と、支持部が及ぼす部分との比を調整することができる。斜めに延びる支持部とブレーキディスクとの間の小さな角度によって、高いブレーキ補助を達成することができ、比較的に低い、操作装置により摩擦ブレーキライニングに及ぼされる圧着力により、高いブレーキモーメントをブレーキディスクに及ぼすことができる。このことは、わずかな操作エネルギで本発明によるでブレーキを操作するのに充分であり、かつ、本発明によるディスクブレーキがブレーキがけ及び解離の際に高い原動力を有しているという利点を有している。支持部は直線状に延びている必要はなく、その延びにおいてブレーキディスクに対して異なった角度を有することができ、要するに例えば湾曲して延びることができる。この形式で、ブレーキ補助をブレーキがけ力に関連して変化させることができ、例えば支持部とブレーキディスクとの間の、支持部の端部に向かって小さくなる角度によって、ブレーキ力の増大につれて増大するブレーキ補助を達成することができる。
【０００９】
本発明によるディスクブレーキの別の利点は、その、わずかな所要スペース及びわずかな重量を備えた、コンパクトな構造形式である。
【００１０】
従属請求項は請求項１に記載した本発明の有利な構成及び展開を記載している。
【００１１】
本発明の有利な構成は請求項２によれば、ブレーキディスクの片側に２つの摩擦ブレーキライニングが設けられていることである。両方の摩擦ブレーキライニングは２部分より成る摩擦ブレーキライニングとして見なすこともできる。ディスクブレーキは、両方の摩擦ブレーキライニングのそれぞれのために、ブレーキディスクに対して斜めに延びる支持部を有しており、その際、両方の支持部はブレーキディスクに対して逆向きに斜めに延びている。このことは、ブレーキディスクの一方の回転方向におけるブレーキがけの際に、両方の支持部の一方が、それにより支えられる摩擦ブレーキライニングを、回転するブレーキディスクから摩擦ブレーキライニングに及ぼされる摩擦の結果として、ブレーキディスクに圧着し、ブレーキディスクの他方の回転方向の場合には、他方の支持部が他方の摩擦ブレーキライニングをブレーキディスクに圧着するという、利点を有している。ブレーキディスクに対して斜めに延びる支持部によるブレーキ補助は本発明のこの構成では回転方向に無関係である。
【００１２】
請求項３による本発明の展開では、両方の支持部は互いに結合されていて、かつブレーキディスクに対して平行にしゅう動可能に案内されている。両方の支持部は例えば共通のくさびエレメントに構成しておくことができる。上述のように、ブレーキをかける際に、両方の支持部の一方はそれにより支えられる摩擦ブレーキライニングに圧着力を作用させ、摩擦ブレーキライニングをブレーキディスクに圧着する。回転するブレーキディスクにより一方の摩擦ブレーキライニングに及ぼされる摩擦は、ブレーキディスクに対して平行な力をこの摩擦ブレーキライニングに作用させる。摩擦ブレーキライニングはブレーキディスクに対して平行な力をそれを支える支持部を介して、両方の互いに結合されている支持部の他方に伝達する。他方の支持部は、それに及ぼされる、ブレーキディスクに対して平行なこの力に基づいて、そのブレーキディスクに対して斜めの延びによって、圧着力を、他方の、それにより支えられる摩擦ブレーキライニングに及ぼし、他方の摩擦ブレーキライニングもブレーキディスクに圧着する。本発明のこの構成は、それが回転方向に無関係であるという、利点を有している。本発明のこの構成の別の利点は、両方の、ブレーキディスクの片側に配置されている摩擦ブレーキライニングが少なくとも近似的に同じ力でブレーキディスクに圧着されることである。圧着力はこれによって両方の摩擦ブレーキライニングに一様に分配され、両方の摩擦ブレーキライニングは一様に磨滅される。更に、ブレーキサドルに対する斜めの引きが回避されるが、斜めの引きは、浮遊サドルとして構成されている場合に、浮遊サドルの傾斜を生じることがある。
【００１３】
そのブレーキ補助及びその高い原動力に基づいて、本発明によるディスクブレーキは、請求項４に記載されているように、電磁的な操作に適している。ディスクブレーキの操作のために、わずかな所要電力を備えた比較的に小さな電気モータで充分である。この形式で、本発明によるディスクブレーキを小型にかつ軽量に構成することが可能であり、操作装置を含めたそのブレーキサドルは、液力式のディスクブレーキのブレーキサドルよりも単にわずかにしか大きくない。本発明によるディスクブレーキはこれによって自動車車輪のリムの内部に良好に収容することができる。
【００１４】
本発明の１構成は、請求項５によれば自己制動性の伝動装置を備えた、ディスクブレーキの電磁的な操作装置を有している。使用可能な、自己制動性の伝動装置は例えばウォーム伝動装置あるいはスピンドル伝動装置である。このことは、一度与えられた、ブレーキディスクに対する摩擦ブレーキライニングの圧着力が、電気モータに通電されていない場合に、維持されるという、利点を有している。電気モータは単に、圧着力を変化させるためだけに、通電される。このことは、本発明によるディスクブレーキを備えている自動車の積載回路網の負荷がわずかになるという、利点を有している。更に、電気モータの加熱が減少し、これによってその構造大きさを更に減少させることができる。付加的な利点は、ディスクブレーキを駐車ブレーキとして使用し得ることである。それは、ディスクブレーキは一度加えられたブレーキモーメントを無通電で維持するからである。
【００１５】
実施例の説明
本発明は以下において本発明の１実施例によって詳細に説明する。図面は、簡単にされた、概略的なものである。
【００１６】
図面に示した本発明によるディスクブレーキ１０はブレーキサドル１２を有しており、これは浮遊サドルとして構成されており、換言すればブレーキディスク１４に対して横方向にしゅう動可能である。ディスクブレーキ１０は電磁的に操作可能であり、電気モータ１８とスピンドル伝動装置２０とを備えた操作装置１６を有している。電気モータ１８は中空軸モータとして構成されていて、中空軸２２を有しており、この中空軸は、スピンドル伝動装置２０の、やはり２２で示したナットを形成している。スピンドル伝動装置２０は、摩擦をわずかに、玉ねじ山伝動装置として構成されている。スピンドル伝動装置はナット２２を有し、このナットは玉２４を介してスピンドル２６と係合している。ナット２２の回転駆動によって、スピンドル２６は軸方向にしゅう動せしめられる。スピンドル２０の、同時に電気モータ１８の軸２２である、ナット２２は、スラスト円すいころ軸受け２８を介して軸方向でモータ及び伝動装置ケーシング３０内で軸方向に支えられ、かつ、回転可能に支承されている。モータ及び伝動装置ケーシング３０はブレーキサドル１２の構成部分である。モータ及び伝動装置ケーシング３０をブレーキサドル１２にフランジ結合すること、例えばねじ結合することも、可能である。
【００１７】
スピンドル２６の、ブレーキディスク１４に面した端部にはブリッジ３２が固定されており、このブリッジはヨーク３４と２つの脚部３６とを有している。ブリッジ３２はそのヨーク３４の中央においてボルト結合部３８によって旋回可能にスピンドル２６の端部に固定されている。両方の脚部３６はヨーク３４からブレーキディスク１４の方向に突出している。
【００１８】
ブレーキディスク１４の、操作装置１６に面した側において、２つの摩擦ブレーキライニング４０，４２がブレーキサドル１２内に位置している。両方の摩擦ブレーキライニング４０，４２はブレーキディスク１４の円周方向でコイル圧縮ばね４３を介して互いに支えられている。ブレーキをかける場合には、電気モータ１８がブレーキがけ方向に通電され、これによって電気モータ１８の軸２２がブレーキがけ方向に回転する。その回転によって、同時にスピンドル伝動装置２０のナット２２である電気モータ１８の軸２２が、スピンドル２６をブレーキディスク１４の方向にしゅう動させる。ブリッジ３２を介して摩擦ブレーキライニング４０，４２が圧着力によりブレーキディスク１４に圧着され、かつ、これを制動する。摩擦ブレーキライニング４０，４２の圧着力は自体公知の形式で反動力を、浮遊サドルとして構成されているブレーキサドル１２に作用させ、これは操作装置１６の方向にしゅう動せしめられ、かつ、これによって、ブレーキディスク１４の、操作装置１６とは逆の側でブレーキサドル１２内に位置している、第３の摩擦ブレーキライニング４４を、ブレーキディスク１４の、操作装置１６とは逆の側に圧着する。摩擦ブレーキライニング４０，４２，４４は自体公知の形式で両側からブレーキディスク１４に圧着され、かつ、これを制動する。両方の、ブレーキディスク１４の片側に配置されている摩擦ブレーキライニング４０，４２は２部分より成る摩擦ブレーキライニングと見なすこともできる。ブレーキディスク１４の、操作装置１６とは逆の側に配置されている摩擦ブレーキライニングは、ブレーキディスク１４の、操作装置１６に面した側に配置されている両方の摩擦ブレーキライニング４０，４２と近似的に同じカバー領域を有している。
【００１９】
以下の記載は、ブレーキディスク１４の、操作装置１６に面した側でブレーキサドル１２内に位置している摩擦ブレーキライニング４０，４２に関する。本発明によるディスクブレーキ１０はこれら両方の摩擦ブレーキライニング４０，４２のそれぞれのために支持部４６，４８を有しており、これらの支持部はブレーキディスク１４に対して斜めに延びている。この場合、両方の支持部４６，４８はブレーキディスク１４に対して逆向きに斜めに延びている。摩擦ブレーキライニング４０，４２は、摩擦をわずかに、円柱ころ５０を介して、支持部４６，４８に支えられている。両方の支持部４６，４８はくさびエレメント５２に配置されていて、このくさびエレメントはブレーキエレメント１４に対して平行にしゅう動可能である。くさびエレメント５２は、摩擦をわずかに、円柱ころ５４を介して、対応受け５６に支えられており、この対応受けは剛性的にブレーキサドル１２内に固定されている。対応受け５６はブレーキディスク１４に対して平行にこれから間隔をおいて配置されており、くさびエレメント５２をブレーキディスク１４に対して垂直に支えている。対応受け５６はくさびエレメント５２のための案内５６を形成しており、くさびエレメント５２をブレーキディスク１４に対して平行にしゅう動可能に案内している。くさびエレメント５２及び対応受け５６はブレーキディスク１４の、操作装置に面した側において、ブリッジ３２の内室内に配置されている。
【００２０】
支持部４６，４８、くさびエレメント５２及び対応受け５６の機能は次のとおりである。ブレーキをかける場合に、両方の、ブレーキディスク１４の片側に配置された摩擦ブレーキライニング４０，４２は操作装置１６によって、ブリッジ３２を介して、ブレーキディスク１４に圧着される。このことは既に述べた。回転するブレーキディスク１４は、摩擦を介して、ブレーキディスク１４に対して平行な力を両方の摩擦ブレーキライニング４０，４２に作用させる。ブレーキディスク１４が、矢印５８の方向に回転すると仮定すると、図面において上方に示されている摩擦ブレーキライニング４０は他方の摩擦ブレーキライニング４２の方向に押される。他方の、図面において下方に示されている摩擦ブレーキライニング４２は、ブレーキディスク１４の摩擦によって、それに及ぼされる力により、自体公知の形式でブレーキサドル１２に支えられる。図面において上方に示されている摩擦ブレーキライニング４０はブレーキディスク１４の回転方向５８で前方の摩擦ブレーキライニング４０であり、図面において下方に示されている摩擦ブレーキライニング４２はブレーキディスク１４の回転方向５８で後方の摩擦ブレーキライニング４２である。ブレーキディスク１４の回転方向５８で前方の摩擦ブレーキライニング４０は回転するブレーキディスク１４により摩擦によってそれに及ぼされる力により、所属の支持部４６に支えられる。ブレーキディスク１４に対して斜めの、その延びによって、支持部４６は反動力を摩擦ブレーキライニング４０に作用させ、摩擦ブレーキライニング４０を、操作装置１６によりブリッジ３２を介してそれに及ぼされる圧着力に対して付加的に、ブレーキディスク１４に圧着する。ブレーキディスクに対して斜めに延びる支持部４６はこれによりブレーキ補助を行い、摩擦ブレーキライニング４０がブレーキディスク１４に圧着される全体の圧着力は、操作装置１６により摩擦ブレーキライニング４０に及ぼされる圧着力よりも大きい。回転するブレーキディスク１４により摩擦によって、回転方向５８で前方の摩擦ブレーキライニング４０に及ぼされる、ブレーキディスクに対して平行な力は図面において矢印６０によって示されている。
【００２１】
それに所属の支持部４６を介して、ブレーキディスク１４の回転方向５８で前方の摩擦ブレーキライニング４０は、回転するブレーキディスク１４により、ブレーキをかける際に、摩擦によってそれに及ぼされる力６０をくさびエレメント５２に伝達する。くさびエレメント５２はブレーキディスク１４に対して垂直に対応受け５６に支えられており、かつ、したがってブレーキディスク１４に対して平行にしかしゅう動可能でないので、摩擦ブレーキライニング４０からくさびエレメント５２に及ぼされる力はブレーキディスク１４に対して平行にその回転方向５８で作用する。摩擦ブレーキライニング４０からくさびエレメント５２に及ぼされる力は図面において矢印６２により示されている。ブレーキディスク１４の回転方向５８で後方の摩擦ブレーキライニング４２に所属している他方の支持部４８を介して、くさびエレメント５２は力をこの摩擦ブレーキライニング４２に作用させる。摩擦ブレーキライニング４２はブレーキディスク１４に対して平行な方向でブレーキサドル１２に支えられているので、くさびエレメント５２からブレーキディスク１４に対して斜めに延びている支持部４８を介して、摩擦ブレーキライニング４２に及ぼされる、ブレーキディスク１４に対して垂直な力は、ブレーキディスク１４の回転方向５８で後方の摩擦ブレーキライニングをブレーキディスク１４に圧着する。前述の形式でくさびエレメント５２から、ブレーキディスク１４の回転方向５８で後方の摩擦ブレーキライニング４２に及ぼされる圧着力は、くさびエレメント５２からブレーキディスク１４の回転方向５８で前方の摩擦ブレーキライニング４０に及ぼされる圧着力と、少なくともほぼ同じ大きさである。これによって両方の摩擦ブレーキライニング４０，４２は少なくとも近似的に同じ圧着力でブレーキディスク１４に圧着される。くさびエレメント５２から、ブレーキディスク１４の回転方向５８で後方の摩擦ブレーキライニング４２に及ぼされる圧着力はこの摩擦ブレーキライニング４２にもブレーキ補助を作用させ、くさびエレメント５２から摩擦ブレーキライニング４２に及ぼされる圧着力は、操作装置１６のブリッジ３２により及ぼされる圧着力に対して付加的にこの摩擦ブレーキライニング４２に作用する。
【００２２】
本発明によるディスクブレーキ１０は対称的に構成されているので、回転方向に無関係であり、支持部４６，４８及びくさびエレメント５２を介しての前述のブレーキ補助はブレーキディスク１４の逆の回転方向の場合でも、作用する。
【００２３】
操作装置１６のスピンドル伝動装置２０は自己制動性に構成されている。これによって一度電気モータ１８によりスピンドル伝動装置２０を介して与えられた、摩擦ブレーキライニング４０，４２，４４の圧着力は、電気モータ１８が無通電の場合でも不変に維持される。電気モータ１８はしたがって、ブレーキディスク１４に対する摩擦ブレーキライニング４０，４２，４４の圧着力を変化させるためにだけ、通電される。ディスクブレーキ１０はスピンドル伝動装置２０の自己制動性の構成によって駐車ブレーキとしても適している。それは、ディスクブレーキは一度与えられて圧着力ひいてはブレーキディスク１４に及ぼされるブレーキモーメントを、無通電の電気モータ１８の場合に不変に維持するからである。
【図面の簡単な説明】
【図１】
半径方向で外方からブレーキディスクを見た、本発明によるディスクブレーキを断面図で示す。
【符号の説明】
１０　ディスクブレーキ、　１２　ブレーキサドル、　１４　ブレーキディスク、　１６　操作装置、　１８　電気モータ、　２０　スピンドル伝動装置、　２２　中空軸、ナット、　２４　玉、　２６　スピンドル、　２８　スラスト円すいころ軸受け、　３０　モータ及び伝動装置ケーシング、　３２　ブリッジ、　３４　ヨーク、　３６　脚部、　３８　ボルト結合部、　４０　摩擦ライニング、　４２　摩擦ライニング、　４３　コイル圧縮ばね、　４４　第３の摩擦ライニング、　４６　支持部、　４８　支持部、　５０　円柱ころ、　５２　くさびエレメント、　５４　円柱ころ、　５６　対応受け、　５８　矢印、　６０　矢印、　６２　矢印
【国際公開パンフレット】
2004505223.tif 000003
2004505223.tif 000004
2004505223.tif 000005
2004505223.tif 000006
2004505223.tif 000007
2004505223.tif 000008
2004505223.tif 000009
2004505223.tif 000010
2004505223.tif 000011
2004505223.tif 000012
2004505223.tif 000013
2004505223.tif 000014
2004505223.tif 000015
2004505223.tif 000016
2004505223.tif 000017
2004505223.tif 000018
2004505223.tif 000019
【国際調査報告】
2004505223.tif 000020
2004505223.tif 000021
2004505223.tif 000022
2004505223.tif 000023
2004505223.tif 000024
2004505223.tif 000025